(57)【要約】    【課題】  鉛直建築部材と水平建築部材とを継手装置によって結合する建築物の骨組構造に関し、ラーメン構造に匹敵する剛接合を実現する。    【解決手段】  鉛直建築部材10と継手部材40とは、鉛直建築部材の一側面に継手部材の取付板部41に設けられた立上げ部45を食い込ませ、その背面側に背当部材50をその凸部52を食い込ませて取り付け、継手部材の取付板部に設けられた透孔44と鉛直建築部材に設けられたボルト孔と背当部材に設けられた透孔51とにボルトを挿通して固定され、水平建築部材と継手部材とは、継手部材の連結板部42に水平建築部材の切込部を合致させて挿入した状態で該連結板部の下端部に設けられた受板部43で受け、水平建築部材に設けられたピン孔と連結板部の夫々の隅部に設けられた透孔47とにピンを挿通して固定される。【選択図】  図１
2004332538.tif 000002
【特許請求の範囲】
【請求項１】
材軸が鉛直方向に延びる鉛直建築部材と、材軸が水平方向に延び端部にその端面から所定深さに切り込まれた切込部を有する水平建築部材とを、上記鉛直建築部材に所定面積で取り付けられる取付板部と上記水平建築部材に所定面積で連結される連結板部とを備えた継手部材及び鉛直建築部材に上記継手部材を取り付ける背面側に取り付けられる背当部材によって結合した建築物の骨組構造であって、
上記鉛直建築部材と上記継手部材とは、鉛直建築部材の一側面に継手部材の取付板部の少なくとも左右の側辺部に設けられた立上げ部を食い込ませ、鉛直建築部材に上記立上げ部を食い込ませる背面側に設けられた凹所に上記背当部材に設けられた凸部を食い込ませ、継手部材の取付板部に設けられた透孔と鉛直建築部材に設けられた締結軸孔と背当部材に設けられた透孔とに締結軸を挿通させて固定し、
上記水平建築部材と上記継手部材とは、継手部材の連結板部に水平建築部材の切込部を合致させて挿入した状態で該連結板部の下端部に設けられた受板部で受け、水平建築部材に設けられた締結軸孔と連結板部の夫々の隅部に設けられた透孔とに締結軸を挿通させて固定したことを特徴とする建築物の骨組構造。
【請求項２】
材軸が鉛直方向に延びる鉛直建築部材を固定する第１の締結手段と、
材軸が水平方向に延びる水平建築部材を固定する第２の締結手段と、
鉛直方向に所定長延びる板部材の夫々の隅部の近傍に上記第１の締結手段の締結軸が挿通される透孔を備えると共に該板部材の少なくとも左右の側辺部に立上げ部を備え、立上げ部を鉛直建築部材に食い込ませて取り付けられる取付板部と、該取付板部の立上げ部の側とは反対の板面に固着されて該板面から直角に所定長延び鉛直方向に所定長延びる板部材の夫々の隅部の近傍に上記第２の締結手段の締結軸が挿通される透孔を備えた連結板部と、該連結板部の下端部に固着され、継手部材の連結板部に水平建築部材の切込部を合致させて挿入した状態で水平建築部材を受ける受板部と、を含んで構成される継手部材と、
鉛直方向に所定長延びる板部材に上記継手部材の取付板部の透孔に挿通される上記第１の締結手段が通る透孔を備えると共に、上記鉛直建築部材の側面に設けられた凹所に嵌合される凸部を備えた背当部材と、
を含んで構成されたことを特徴とする建築物の継手装置。
【請求項３】
上記継手部材の連結板部は、上記透孔のうちの少なくとも１つを通る水平線上を外した位置に補強用透孔を備えたことを特徴とする請求項２に記載の建築物の継手装置。
【請求項４】
材軸が鉛直方向に延びる鉛直建築部材と、材軸が水平方向に延び端部にその端面から所定深さに切り込まれた切込部を有する水平建築部材とを、上記鉛直建築部材に所定面積で取り付けられる取付板部と上記水平建築部材に所定面積で連結される連結板部とを備えた継手部材及び鉛直建築部材に上記継手部材を取り付ける背面側に取り付けられる背当部材によって結合する建築物の骨組構築方法であって、
鉛直建築部材の一側面に継手部材の取付板部の少なくとも左右の側辺部に設けられた立上げ部を食い込ませる工程と、
鉛直建築部材に取付板部の立上げ部を食い込ませる背面側に設けられた凹所に嵌合させて上記背当部材に設けられた凸部を食い込ませる工程と、
継手部材の取付板部に設けられた透孔と鉛直建築部材に設けられた締結軸孔と背当部材に設けられた透孔とに締結軸を挿通させ、継手部材と背当部材とで鉛直建築部材を挟んだ状態で固定する工程と、
上記水平建築部材の端部を、継手部材の連結板部に水平建築部材の切込部を合致させて挿入した状態で該連結板部の下端部に設けられた受板部で受ける工程と、
水平建築部材に設けられた締結軸孔と連結板部の夫々の隅部に設けられた透孔とに締結軸を挿通させて水平建築部材と継手部材とを固定する工程と、
を含むことを特徴とする建築物の骨組構築方法。
【発明の詳細な説明】
【技術分野】
【０００１】
本発明は、材軸が鉛直方向に延びる鉛直建築部材と水平方向に延びる水平建築部材とを継手装置によって結合する建築物の骨組構造に関し、特に、ラーメン構造に匹敵する剛接合が実現される建築物の骨組構造、それに使用される継手装置、及びそれを適用した骨組構築方法に関する。
【背景技術】
【０００２】
木造建築物の建築方法としては、軸組工法と枠組工法とが知られている。
軸組工法とは、スケルトンスキン工法やポスト＆ビーム工法とも称されるもので、柱状の木材を鉛直方向及び水平方向に組み付けて建築物の骨組を構築するものである。この木材の組み付けによって形成された四角形状の壁面空間は、建築物の重みによる鉛直荷重及び地震や強風による水平荷重に対抗できるように、筋違を配設してブレース構造にされている。この工法では、柱状の木材として、略正方形状の大断面からなる長尺材が用いられる。
【０００３】
一方、枠組工法は、ツーバイフォー工法やプラットフォームフレーム工法とも称されるもので、柱状の木材を鉛直方向及び水平方向に結合して建築物の骨組を形成し、それに構造物用合板等を打ち付けて耐力壁を形成するものである。この工法においては、壁面自体が耐力性を有するので、鉛直荷重及び水平荷重に対して高い剛性を有する。この工法で使用される木材は、構造用合板等を打ち付ける際の枠体となるものであれば充分なので、例えば、長方形状の小断面の短尺材が用いられる。
【０００４】
これらの工法において、木材を相互に結合する際に、継手装置が用いられることがある。特開昭５１−１０７６２６号公報（特許文献１）には、立方体若しくは直方体形状の継手本体の側面と上面に、夫々の面に対して直角に板状部材を溶接することによって形成された継手装置が開示されている。この継手装置は、板状部材に木材の端部を夫々嵌合させた状態で締結手段で固定することによって、複数の木材を相互に結合するものである。
【０００５】
また、特公平６−５７９７３号公報（特許文献２）では、２枚の側板部を中間板部で連結して形成された断面Ｈ形状の基本継手部材の外面に、該中間板部の延長位置に水平建築部材を連結する為の板部（第１の応用継手部材）を溶接することによって形成された継手装置によって、水平建築部材と鉛直建築部材とを相互に結合する技術が開示されている。この技術は、軸組工法と枠組工法との双方の特徴を有するものであり、形成される壁面空間に構造用合板を張設して耐力壁を形成している。
【０００６】
また、特公平７−１１９４７５号公報（特許文献３）では、２つの板部材を溶接して形成されたＬ字状の部材（第１の連結用板部及び受け板部）の内側空間の中央部に、夫々の板部材に直角な第２の連結用板部を溶接することによって形成された継手装置によって、鉛直建築部材と水平建築部材とを相互に結合する技術が開示されている。第１の連結用板部の外側の板部材の中央には、鉛直建築部材の側面に嵌合されるシアリングが設けられている。
【特許文献１】特開昭５１−１０７６２６号公報
【特許文献２】特公平６−５７９７３号公報
【特許文献３】特公平７−１１９４７５号公報
【発明の開示】
【発明が解決しようとする課題】
【０００７】
しかし、特開昭５１−１０７６２６号公報に記載の技術においては、継手本体から外方に延びる板状部材に鉛直方向の木材と水平方向の木材とが固定されるので、木材の結合部はピン構造となる。この為、木材の結合によって形成された壁面空間には筋違等を設ける必要があり、壁面に大きな窓や出入り口を設ける等、開放的な建築プランを採用することが難しかった。
【０００８】
また、特公平６−５７９７３号公報の骨組構造においては、水平建築部材は、基本継手部材の外面から外方に延びる板部に対し、該板部に設けられた上下２つの透孔によって固定されるのみであるので、特に、板部に平行な水平方向及び鉛直方向からの荷重に対する抵抗力が弱い。この為、構造用合板等によって耐力壁を形成する必要が生じ、同様に、開放的な建築プランを採用することが難しかった。
【０００９】
また、特公平７−１１９４７５号公報の骨組構造においては、鉛直建築部材の継手装置が取り付けられる背面側に負荷がかかるので、第１の連結用板部に平行な水平方向及び鉛直方向からの荷重に対する抵抗力が弱く、同様に、筋違や耐力壁が必要となっていた。
そこで、本発明は、鉛直建築部材と水平建築部材とを継手装置によって結合することによってラーメン構造に匹敵する剛接合が実現され、壁面空間に筋違や耐力壁を設ける必要性を低減できる耐力性の高い建築物の骨組構造、継手装置及び骨組構築方法を提供することを目的とする。
【課題を解決するための手段】
【００１０】
上記目的を達成するために、本発明による建築物の骨組構造は、材軸が鉛直方向に延びる鉛直建築部材と、材軸が水平方向に延び端部にその端面から所定深さに切り込まれた切込部を有する水平建築部材とを、上記鉛直建築部材に所定面積で取り付けられる取付板部と上記水平建築部材に所定面積で連結される連結板部とを備えた継手部材及び鉛直建築部材に上記継手部材を取り付ける背面側に取り付けられる背当部材によって結合した建築物の骨組構造であって、上記鉛直建築部材と上記継手部材とは、鉛直建築部材の一側面に継手部材の取付板部の少なくとも左右の側辺部に設けられた立上げ部を食い込ませ、鉛直建築部材に上記立上げ部を食い込ませる背面側に設けられた凹所に上記背当部材に設けられた凸部を食い込ませ、継手部材の取付板部に設けられた透孔と鉛直建築部材に設けられた締結軸孔と背当部材に設けられた透孔とに締結軸を挿通させて固定し、上記水平建築部材と上記継手部材とは、継手部材の連結板部に水平建築部材の切込部を合致させて挿入した状態で該連結板部の下端部に設けられた受板部で受け、水平建築部材に設けられた締結軸孔と連結板部の夫々の隅部に設けられた透孔とに締結軸を挿通させて固定したものである。
【００１１】
このような構成により、鉛直建築部材と水平建築部材とを、継手部材及び背当部材によって結合するに際し、先ず、上記鉛直建築部材と上記継手部材とを、鉛直建築部材の一側面に継手部材の取付板部の立上げ部を食い込ませ、その背面側に設けられた鉛直建築部材の凹所に背当部材の凸部を食い込ませ、継手部材の取付板部の透孔と鉛直建築部材の締結軸孔と背当部材の透孔とに締結軸を挿通させて固定する。そして、上記水平建築部材と上記継手部材とを、継手部材の連結板部に水平建築部材の切込部を合致させて挿入した状態で該水平建築部材を受板部で受け、水平建築部材の締結軸孔と連結板部の夫々の隅部に設けられた透孔とに締結軸を挿通させて固定することによって、ラーメン構造と同様の結合状態とする。
【００１２】
本発明による建築物の継手装置は、材軸が鉛直方向に延びる鉛直建築部材を固定する第１の締結手段と、材軸が水平方向に延びる水平建築部材を固定する第２の締結手段と、鉛直方向に所定長延びる板部材の夫々の隅部の近傍に上記第１の締結手段の締結軸が挿通される透孔を備えると共に該板部材の少なくとも左右の側辺部に立上げ部を備え、立上げ部を鉛直建築部材に食い込ませて取り付けられる取付板部と、該取付板部の立上げ部の側とは反対の板面に固着されて該板面から直角に所定長延び鉛直方向に所定長延びる板部材の夫々の隅部の近傍に上記第２の締結手段の締結軸が挿通される透孔を備えた連結板部と、該連結板部の下端部に固着され、継手部材の連結板部に水平建築部材の切込部を合致させて挿入した状態で水平建築部材を受ける受板部と、を含んで構成される継手部材と、鉛直方向に所定長延びる板部材に上記継手部材の取付板部の透孔に挿通される上記第１の締結手段が通る透孔を備えると共に、上記鉛直建築部材の側面に設けられた凹所に嵌合される凸部を備えた背当部材と、を含んで構成されたものである。
【００１３】
このような構成により、鉛直建築部材に継手部材をその取付板部の立上げ部を該鉛直建築部材の側面に食い込ませて取り付け、背当部材をその凸部を鉛直建築部材の凹所に食い込ませて取り付け、鉛直建築部材を継手部材の取付板部と背当部材とで挟んだ状態で第１の締結手段によって固定する。そして、継手部材の連結板部に水平建築部材の切込部を合致させて挿入した状態で該連結板部の下端部に設けられた受板部で該水平建築部材を受け、連結板部の夫々の隅部に設けられた透孔に第２の締結手段の締結軸を挿通させて固定することによって、ラーメン構造と同様の結合状態とする。
【００１４】
また、上記継手部材の連結板部は、上記透孔のうちの少なくとも１つを通る水平線上を外した位置に補強用透孔を有するものであってもよい。これによって、水平建築部材と継手装置との固定が一層強固なものとなる。
本発明による建築物の骨組構築方法は、材軸が鉛直方向に延びる鉛直建築部材と、材軸が水平方向に延び端部にその端面から所定深さに切り込まれた切込部を有する水平建築部材とを、上記鉛直建築部材に所定面積で取り付けられる取付板部と上記水平建築部材に所定面積で連結される連結板部とを備えた継手部材及び鉛直建築部材に上記継手部材を取り付ける背面側に取り付けられる背当部材によって結合する建築物の骨組構築方法であって、鉛直建築部材の一側面に継手部材の取付板部の少なくとも左右の側辺部に設けられた立上げ部を食い込ませる工程と、鉛直建築部材に取付板部の立上げ部を食い込ませる背面側に設けられた凹所に嵌合させて上記背当部材に設けられた凸部を食い込ませる工程と、継手部材の取付板部に設けられた透孔と鉛直建築部材に設けられた締結軸孔と背当部材に設けられた透孔とに締結軸を挿通させ、継手部材と背当部材とで鉛直建築部材を挟んだ状態で固定する工程と、上記水平建築部材の端部を、継手部材の連結板部に水平建築部材の切込部を合致させて挿入した状態で該連結板部の下端部に設けられた受板部で受ける工程と、水平建築部材に設けられた締結軸孔と連結板部の夫々の隅部に設けられた透孔とに締結軸を挿通させて水平建築部材と継手部材とを固定する工程と、を含むものである。
【００１５】
このような構成により、鉛直建築部材と水平建築部材とを継手部材及び背当部材によって結合するに際し、先ず、鉛直建築部材の一側面に継手部材の取付板部の立上げ部を食い込ませ、その背面側に背当部材の凸部を食い込ませ、継手部材の取付板部の透孔と鉛直建築部材の締結軸孔と背当部材の透孔とに締結軸を挿通させ、継手部材と背当部材とで鉛直建築部材を挟んだ状態で固定する。そして、水平建築部材の端部を、継手部材の連結板部に水平建築部材の切込部を合致させて挿入した状態で該連結板部の下端部の受板部で受け、水平建築部材の締結軸孔と連結板部の夫々の隅部に設けられた透孔とに締結軸を挿通させて水平建築部材と継手部材とを固定することによって、ラーメン構造と同様の結合状態とする。
【発明の効果】
【００１６】
請求項１の建築物の骨組構造によれば、鉛直建築部材と水平建築部材とを継手部材及び背当部材によって接合した際に、鉛直建築部材は、継手部材と背当部材とによって食い込まれ挟まれた状態で固定され、水平建築部材は、継手部材の連結板部が挿入された状態で受板部で受けられて固定されるので、鉛直及び水平方向からの荷重に対して耐力性を有する。この為、ラーメン構造に匹敵する剛接合が実現されるので、壁面用の空間に筋違や耐力壁を設ける必要性が少なくなり、壁面に大きな窓や出入り口を設ける等、開放的な建築プランを採用することが可能となる。これによって、設計の自由度が増大する。
【００１７】
請求項２の建築物の継手装置によれば、この継手装置によって鉛直建築部材と水平建築部材とを接合した場合は、継手装置と鉛直建築部材とは、継手装置の継手部材と背当部材とによって食い込まれ挟まれた状態で第１の締結手段で固定され、水平建築部材は、継手部材の連結板部が挿入された状態で受板部で受けられて固定されるので、鉛直及び水平方向からの荷重に対して耐力性を有する。この為、ラーメン構造に匹敵する剛接合が実現されるので、壁面用の空間に筋違や耐力壁を設ける必要性が少なくなり、壁面に大きな窓や出入り口を設ける等、開放的な建築プランを採用することが可能となる。また、建築物の殆どの結合箇所に、同一構成の継手装置を適用することができるので、継手装置の種類を少なくすることができる。これによって、コストが低減され、施工性も向上される。
【００１８】
請求項３の建築物の継手装置によれば、水平建築部材と継手部材の連結板部とは、該連結板部の夫々の隅部に形成された透孔に加え補強用透孔によって固定されるので、一層の剛接合が実現される。
請求項４の建築物の骨組構築方法によれば、鉛直建築部材を、継手部材と背当部材とによって食い込ませて挟んだ状態で固定し、水平建築部材を、継手部材の連結板部が挿入された状態で受板部で受けて固定するので、鉛直及び水平方向からの荷重に対して耐力性を有する。この為、ラーメン構造に匹敵する剛接合が実現され、壁面用の空間に筋違や耐力壁を設ける必要性が少なくなる。これによって、壁面に大きな窓や出入り口を設ける等、開放的な建築プランを採用することが可能となり、設計の自由度が増大する。また、建築物の柱となる鉛直建築部材を複数立設し、夫々の鉛直建築部材の上端部に継手装置を取り付けておけば、その上から水平建築部材を継手装置の受板部の上に落とし込むことによって、建築物の骨組を構築できるので、施工性が向上され、寸法精度の高い骨組を容易に構築することができる。
【発明を実施するための最良の形態】
【００１９】
以下、添付された図面を参照して本発明を詳述する。
図１は、本発明の建築物の骨組構造１を示す斜視図である。この骨組構造１は、ラーメン構造に匹敵する剛性を有するものであり、鉛直建築部材１０と、水平建築部材２０とを、継手装置３０によって接合したものである。
鉛直建築部材１０は、図２に示すように、材軸が鉛直方向に延びる柱状の木材であり、一側面１１の所定部位には、締結軸孔としてのボルト孔１２がその背面１３に向けて貫設されている。そして、図２（ａ）に示すように、そのボルト孔１２を取り囲むように、正面視でロの字状の溝部１４が設けられている。一方、背面１３には、図２（ｂ）に示すように、ボルト孔１２の両側方に、凹所としての２本の溝部１５が設けられている。この場合、鉛直建築部材１０の一側面１１に設けられている溝部１４は、図４及び５に示す後述する継手部材４０の取付板部４１の立上げ部４５が食い込まれる部位であり、背面１３に設けられている溝部１５は、背当部材５０の凸部５２が食い込まれる部位である。なお、鉛直建築部材１０は、断面正方形状のプレカット材を用いることが好ましい。
【００２０】
水平建築部材２０は、図３に示すように、材軸が水平方向に延びる柱状の木材であり、端部に、その端面２１から所定深さに切り込まれた切込部２２を有する。この切込部２２の切り込みの深さＡび切り込みの高さＢは、夫々、図４に示す後述する継手部材４０の連結板部４２の水平方向長さＨと鉛直方向長さＧに対応するものとする。この場合、切込部２２の少なくとも一端は、水平建築部材２０の下側に位置される側面２４に達するものとする。そして、水平建築部材２０の端部には、切込部２２に交差して一側面側からその背面側に貫通される締結軸孔としてのピン孔２３が設けられている。
【００２１】
なお、水平建築部材２０は、断面長方形状のプレカット材を用いることが好ましく、この骨組構造１においては、断面長方形の長辺が鉛直になり短辺が水平になるように、水平建築部材２０を配置する。なお、水平建築部材２０の水平方向の長さＣ及び鉛直方向の長さＤは、後述する継手装置３０の継手部材４０の取付板部４１及び連結板部４２、並びに背当部材５０の寸法の基準とされるものであり、以下夫々「基準幅Ｃ」及び「基準長さＤ」と称することとする。
【００２２】
上記鉛直建築部材１０と水平建築部材２０は、継手装置３０によって結合されている。この継手装置３０は、図４に示すように、第１の締結手段３１と、第２の締結手段３２と、継手部材４０と、背当部材５０と、を含んで構成される。
第１の締結手段３１は、上記鉛直建築部材１０を継手部材４０と背当部材５０とで挟んだ状態で一体的に固定するためのものであり、後述する継手部材４０の取付板部４１の透孔４４と上記鉛直建築部材１０のボルト孔１２と後述する背当部材５０の透孔５１とに挿通される締結軸としてのボルト３１ａと、それに螺合されるナット３１ｂとからなる。
【００２３】
第２の締結手段３２は、上記水平建築部材２０を継手部材４０の連結板部４２に固定するためのものであり、後述する継手部材４０の連結板部４２の透孔４７と上記水平建築部材２０のピン孔２３とに挿通される締結軸としてのピン３２ａである。このピン３２ａは、その軸上に設けられている係止手段３２ｂによって、挿入と同時に締結される構造となっている。
【００２４】
継手部材４０は、水平建築部材２０を鉛直建築部材１０に接合する側の側面１１に取り付けられる金属部材であり、取付板部４１と、連結板部４２と、受板部４３とを含んで構成される。
取付板部４１は、鉛直方向に延び所定面積を有する板部材であり、その板面を鉛直建築部材１０の側面に当てて固定されることによって、鉛直建築部材１０に継手部材４０を所定面積で取り付けるものである。この取付板部４１は、夫々の隅部の近傍に上記ボルト３１ａが挿通される透孔４４を有し、周囲に立上げ部４５を有する。この立上げ部４５は、鉛直建築部材１０に取付板部４１を取り付けた際に鉛直建築部材１０の側面に設けられた溝部１４に食い込む部位であり、図５に示すように、矩形形状の板部材の周辺部を略直角に折り曲げるか、又は矩形形状の板部材の周縁に細長状の金属片を略直角に溶接するかによって形成されている。上記透孔４４は、取付板部４１の夫々の隅部の近傍に２つずつ合計８つ開設されている。取付板部４１は、鉛直方向の長さＥが上記基準長さＤと略同一で、水平方向の長さＦが上記基準幅Ｃと略同一となるような形状であることが好ましい。
【００２５】
この取付板部４１の水平方向中央部には、矩形形状の連結板部４２が固着されている。連結板部４２は、上記水平建築部材２０の切込部２２に挿入されて該水平建築部材２０を所定面積で連結するものであり、その一側辺４６において、取付板部４１の立上げ部４５が設けられていない側の板面に固着されていて、その板面から直角に延びている。この連結板部４２の面積は、上記基準長さＤとの関係において決定される。この場合、鉛直方向長さＧは上記基準長さＤと略同一か僅かに短い程度、水平方向長さＨは上記基準長さＤの半分以上、好ましくは基準長さＤと略同一程度のものとする。
【００２６】
この連結板部４２には、水平建築部材２０を固定する為の第２の締結手段３２が挿通される透孔４７、４７′が設けられている。この透孔４７、４７′は、夫々の隅部の近傍に位置する４つの透孔４７ａ，４７ｂ，４７ｃ，４９ｄと、そのうち横方向に並ぶ２つの透孔（４７ａと４７ｂ，４７ｃと４７ｄ）の中間であって上端又は下端寄りに位置する２つの補強用透孔４７′と、によって構成される。この２つの補強用透孔４７′は、夫々の隅部に設けられた４つの透孔４７のうち少なくとも１つを通る水平線Ｉを外した位置に設けられている。このように、連結板部４２の隅部近傍に設けられている透孔４７ａ，４７ｂ，４７ｃ，４７ｄと同一水平線状に位置しないように補強用透孔４７′を設けたので、ピン３２ａの挿入に伴い水平建築部材２０の端部に繊維方向に沿った割れが生ずるのを防止できる。なお、透孔４７ｂ，４７ｄが設けられる連結板部４２の隅部の近傍とは、ピン３２ａを水平建築部材２０のピン孔２３に挿入した際に該水平建築部材２０の端部に割れが発生するのを防止するために必要とされる所定間隔Ｊを含めた意味である。
【００２７】
この連結板部４２の下端部４８には、受板部４３が固着されている。この受板部４３は、継手部材４０の連結板部４２に水平建築部材２０の切込部２２を合致させて挿入した状態で該水平建築部材２０の端部を受けるものであり、上記連結板部４２に側面視でＴ字状となるように結合されている。なお、この受板部４３は、取付板部４１の下端部に固着されるのが好ましく、この場合の受板部４３の水平方向長さＫは、上記基準長さＤの半分以上、好ましくは基準長さＤと略同一程度が望ましい。
【００２８】
背当部材５０は、鉛直建築部材１０に上記継手部材４０が取り付けられる部位の背面側に取り付けられるものであり、上記継手部材４０の取付板部４１と略同一の大きさを有する金属板である。この背当部材５０には、上記継手部材３０の取付板部４１の透孔４４に挿通されるボルト３１ａが挿通される透孔５１と、鉛直建築部材１０の背面１３に設けられた溝部１５に嵌合される凸部５２とが設けられている。この凸部５２は、板部材の左右の側辺部を折り曲げる、或いは左右の側辺部に細長状の金属片を溶接する等の方法によって形成される。また、透孔５１は、上記継手部材３０の取付板部４１の透孔４４と上記鉛直建築部材１０のボルト孔１２とに連通されるものであり、上記取付板部４１の透孔４４に対応する位置に設けられている。
【００２９】
さらに、背当部材５０の鉛直建築部材１０に嵌合されない側には、座金板５５が当てられる。座金板５５を背当部材５０に当てた状態で、該背当部材５０の透孔５１、鉛直建築部材１０のボルト孔１２及び継手装置４０の透孔４４にボルト３１ａが挿通されることによって、背当部材５０の厚さが増した効果が得られ、強度が増加する。これによって、第１の締結手段３１の締め付けを強くして、継手装置３０と鉛直建築部材１０との固定を一層強固なものとすることができる。
【００３０】
以上のように構成された継手装置３０は、図６に示すように、鉛直建築部材１０の一側面１１に継手部材４０の取付板部４１の周側辺部に設けられた立上げ部４５を食い込ませ、背当部材５０の凸部をその背面側の側面１３に食い込ませ、継手部材４０の取付板部４１の透孔４４と鉛直建築部材１０のボルト孔１２と背当部材５０の透孔５１とにボルト３１ａを挿通させて固定することによって鉛直建築部材１０に取り付けられる。一方、水平建築部材２０は、継手部材４０の連結板部４２に水平建築部材２０の切込部２２を合致させて挿入した状態で該連結板部４２の下端部に設けられた受板部４３で受け、水平建築部材２０に設けられたボルト孔４７と連結板部４２の夫々の隅部に設けられた透孔４７とにピン３２ａを挿通させることによって、継手部材４０に連結されている。これによって、鉛直建築部材１０と水平建築部材２０とが結合される。
【００３１】
この骨組構造１によれば、鉛直建築部材１０は、継手部材４０と背当部材５０とによって食い込まれ挟まれた状態で第１の締結手段３１によって一体的に固定され、水平建築部材２０は、継手部材４０の連結板部４２が挿入され受板部４３で受けられた状態で第２の締結手段３２によって一体的に固定されるので、鉛直及び水平方向からの荷重に対抗できる。特に、継手部材４０の取付板部４１は所定面積で鉛直建築部材１０に取り付けられ、連結板部４２は所定面積で水平建築部材２０に連結されるので、鉛直建築部材１０と水平建築部材２０との結合の中心点にかかる負荷が分散される。また、水平建築部材２０と連結板部４２とは、連結板部４２の夫々の隅部において固定されるので、結合強度が一層高くなり、連結板部４２に平行な水平方向及び鉛直方向からの荷重に対して高い耐力性を有する。このように、ラーメン構造と同様の結合状態となるので、壁面用の空間に筋違や耐力壁を設ける必要性が低減され、壁面に大きな窓や出入り口を設けたり、開放的な建築プランを採用することが可能となる。
【００３２】
従来は、大開口部を持つ建築物、３階建て建築物、狭小地における建築物は、現状でもラーメン構造を設定できる鉄骨造或いは鉄筋コンクリート造でないと建築できなかったが、上記骨組構造１によれば、木造建築物においても同等の構造的強度を得ることができるので、木造建築物の適用範囲が拡大される。
なお、図１に示すように、柱頭部（柱梁結合部）において上記の骨組構造１が適用された壁面空間においては、柱脚部に、図７のような柱脚用継手装置６０を用いることもできる。この柱脚用継手装置６０は、基礎２の上に取り付けられるものであり、矩形形状の端板部６１と、その両側辺に固着され上記端板部６１に直角に延びる２つの側板部６２と、該２つの側板部６２の中央部を連結する中間板部６３と、によって構成される。中間板部６３は、鉛直建築部材１０の端面に形成された切込部に挿入される部位であり、鉛直建築部材１０を固定するためのボルト用の透孔６４が設けられている。端板部６１には、基礎２と固定するためのアンカーボルト用の透孔６５が設けられている。なお、柱脚部において、基礎上に設けられた水平建築部材（土台）と鉛直建築部材（柱）と結合する場合は、上記の継手装置３０を用いてもよい。この場合は、受板部４３にアンカーボルト用の透孔を設けておくのが好ましい。
【００３３】
以下、上記骨組構造１を適用した建築物の骨組構築方法を、図８を参照して説明する。
先ず、図８（ａ）に示すように、鉛直建築部材１０に継手装置３０を取り付ける。この場合、鉛直建築部材１０の一側面１１に設けられた溝部１４に継手部材４０の取付板部４１の立上げ部４５を食い込ませ、その背面１３に設けられた溝部１５に背当部材５０の凸部５２を食い込ませる。この状態で、継手部材４０の取付板部４１の透孔４４と鉛直建築部材１０に設けられたボルト孔１２と背当部材５０の透孔５１とにボルト３１ａを挿通させナット３１ｂによって締結する。これによって、鉛直建築部材１０と継手部材４０とが固定される。
【００３４】
そして、図８（ｂ）に示すように、水平建築部材２０の一端部を、その端部の切込部２２を継手部材４０の連結板部４２に合致させて挿入させた状態で、該連結板部４２の下端部に設けられた受板部４３で受ける。この際、切込部２２が切り込まれている側の側面２４を下側に向け、受板部４３上に水平建築部材２０を落とし込む。
そして、図８（ｃ）に示すように、水平建築部材２０に設けられたピン孔２３及び継手部材４０の連結板部４２の透孔４７、４７′にピン３２ａを挿通させることによって、水平建築部材２０と上記継手装置３０とを固定する。
【００３５】
建築物における各結合箇所において、上記工程に従って鉛直建築部材１０と水平建築部材２０とを結合していくことで、建築物の骨組みが構築される。
かかる骨組構築方法によれば、柱となる鉛直建築部材１０を複数立設し、夫々の鉛直建築部材１０の上端部に継手部材４０を取り付けておけば、その上から受板部４３の上に、梁用の木材としてプレカットされた水平建築部材２０を落とし込むことによって、建築物の骨組を構築できるので、施工性が向上される。また、所定寸法に切断され、所定部位にボルト孔や切込部等が形成された木材を工場等によって機械的に製造しておけば、建築現場での作業は、ボルト等によって建築部材を組み付けるのみとなるので、熟練者でなくとも寸法精度の高い骨組を構築できる。
【００３６】
また、建築物の殆どの結合箇所に、同一構成の継手装置を適用することができるので、継手装置の種類を少なくすることができる。これによって、コストが低減され、施工性も向上される。
以下、本発明の骨組構造１に適用される鉛直建築部材１０、水平建築部材２０及び継手装置３０の寸法の一例を示す。
【００３７】
鉛直建築部材１０は断面２０×２０cm、長さが２５０cmのプレカット材を使用する。水平建築部材２０は、断面が１４×４０cm又は１４×３４cm、長さが例えば２００cmのプレカット材を使用する。なお、これらの長さは、建築物の使用部位に応じた規格サイズのものとする。
一方、継手部材４０の取付板部４１及び背当部材５０の鉛直方向長さＥは３４０cm、幅Ｆは１４cmである。連結板部４２の鉛直方向長さＧは３４cm、水平方向長さＨは３０．５cmである。また、継手部材４０の取付板部４１の立上げ部４５及び背当部材５０の凸部５２の突出長さＬは、２．１cm程度である。そして、継手部材４０の取付板部４１及び背当部材５０に設けられた透孔４４、５１は、何れも１．６５cm径である。継手部材４０の連結板部４２に設けられた透孔４７、４７′は、何れも２．０５cm径である。第１及び第２の締結手段３１、３２は、これらの透孔及び鉛直及び水平建築部材１０、２０の寸法に準じたものである。
【００３８】
上記寸法の継手装置３０について、以下の耐力試験を行った。
図９のように、上記継手装置３０によって鉛直建築部材１０と水平建築部材１０を結合して四角形状の枠体２を形成し、その枠体２によって形成された壁面空間Ｓの両側から１／４程度の部位に壁材３を張設した。そして、その枠体２の側方から荷重Ｍを加えた。そして、所定量の歪みＮが生ずるのに要した荷重を測定した。比較例として、木造在来工法によって鉛直建築部材１０と水平建築部材２０とを接合したものについても、同様の試験を行った。この比較例は、上記と同様の鉛直建築部材１０と水平建築部材２０とをほぞを介して組み付け、その結合部分を適宜ボルトによって補強して四角形状の枠体を形成し、その枠体によって形成された壁面空間の両側から１／４程度の部位に、上記と同様の壁材を張設したものである。
【００３９】
この結果、本実施例においては、３ｍの鉛直建築部材１０を１０cm歪めるのに４０ＫＮの荷重を要した。一方、比較例においては、１２ＫＮの荷重によって、同様の歪みが生じた。
以上の試験結果から、本実施例の継手装置３０の耐力性が確認された。本実施例の継手装置３０によって構築された建築物の骨組は、木造在来工法によって構築されたものに比べて強度が極めて高いので、筋違等を設ける必要性を低減できる。これによって、建築プランに応じて、壁材に耐性の強い材質のものを使用したり、鉛直及び水平建築部材の断面積及び長さ、或いは継手装置の各部材（特に、連結板部）のサイズを調節する等の工夫をすることによって、木造建築においても、大開口部を持つ建築物や３階建て建築物を構築することが可能となる。
【００４０】
なお、上記骨組構造１で使用される継手装置３０は、上記の形状に限定されるものではない。例えば、図１０に示す継手装置３０′のように、継手部材４０′の取付板部４１′の立上げ部４５′を、左右の側縁部のみに設けてもよい。この場合、鉛直建築部材１０に設けられる溝部も、これに対応するものとする。継手部材４０′の取付板部４１′の左右の側辺部に設けられた立ち上げ部４５′を鉛直建築部材１０の側面の溝部に食い込ませることによって、立上げ部４５′に直交する方向（即ち、連結板部４２′に略直交する方向）からの荷重に対する耐力性が確保される。また、継手部材４０′の連結板部４２′において、補強用透孔を廃し、夫々の隅部の近傍のみに透孔４７を設けてもよい。この場合においても、水平建築部材２０と連結板部４２′とは、連結板部４２′の四隅で固定されるので接合性が確保される。
【００４１】
また、背当部材５０′に形成される凸部５２′を、図示のように、鉛直建築部材に当接される板面自体を突出させることによって構成してもよい。この場合、凸部５２′の突出端部は、所定の広がりを有する平面となり、この平面にボルト３１ａが挿通される透孔５１が設けられることとなる。この場合、鉛直建築部材１０に設けられる凹所も平坦な底面部を有する窪みとなる。
【図面の簡単な説明】
【００４２】
【図１】本発明による建築物の骨組構造の実施形態を示す斜視図である。
【図２】上記骨組構造に適用される鉛直建築部材を示し、（ａ）は継手部材が取り付けられる側から見た正面図であり、（ｂ）はその背面図である。
【図３】上記骨組構造に適用される水平建築部材を示し、（ａ）は正面図であり、（ｂ）は端面側から見た側面図である。
【図４】上記骨組構造に適用される継手装置の実施形態を示す斜視図である。
【図５】継手部材を鉛直建築部材に取り付けられる側から見た斜視図である。
【図６】上記継手装置によって鉛直建築部材と水平建築部材とを結合した状態を示す断面図。
【図７】上記骨組構造の柱脚部に適用される柱脚用継手装置を示す斜視図である。
【図８】上記骨組構造を適用した建築物の骨組構築方法を示す工程説明図である。
【図９】上記継手装置の耐力試験の状態を示す説明図である。
【図１０】上記継手装置の変形態様を示す斜視図である。
【符号の説明】
【００４３】
１…骨組構造
１０…鉛直建築部材
１２…ボルト孔
２０…水平建築部材
２２…切込部
２３…ピン孔
３０、３０′…継手装置
３１…第１の締結手段
３２…第２の締結手段
４０、４０′…継手部材
４１、４１′…取付板部
４２、４２′…連結板部
４３…受板部
４５、４５′…立上げ部
５０、５０′…背当部材
５２、５２′…凸部
【図１】
2004332538.tif 000003
【図２】
2004332538.tif 000004
【図３】
2004332538.tif 000005
【図４】
2004332538.tif 000006
【図５】
2004332538.tif 000007
【図６】
2004332538.tif 000008
【図７】
2004332538.tif 000009
【図８】
2004332538.tif 000010
【図９】
2004332538.tif 000011
【図１０】
2004332538.tif 000012